(57)【要約】    【課題】  製造方法の簡便なイカ釣り針およびその製造方法を提供すること。    【解決手段】  イカ釣り針１０は、折合せた松葉針１の針先２が折り曲げられて形成された傘針４が複数本用いられて予め形成された、中空部６を有する傘針束５が、外装筒体７にその内壁に対して弾力を加える状態で挿入されて取付けられており、傘針束５の中空部６に軸杆８が挿入され、軸杆８と傘針４とが傘針４の先端部において固定されていることを、主たる構成とする。松葉針１の先端は予め尖った構造に形成しておき、さらにその端部付近には生針３を形成しておくことができる。【選択図】  図１
2006180713.tif 000002
【特許請求の範囲】
【請求項１】
折合せた松葉針の針先が折り曲げられて形成された傘針が複数本用いられて予め形成された、中空部を有する傘針束が、外装筒体にその内壁に対して弾力もしくは圧力を加える状態で挿入されて取付けられており、該傘針束の中空部に軸杆が挿入され、該軸杆と傘針とが固定されていることを特徴とする、イカ釣り針。
【請求項２】
折合せた松葉針の針先を折り曲げて傘針を形成し、ついで所定本数の該傘針の束から傘針束を形成し、該傘針束を外装筒体に打ち込んで該傘針の有する弾性により該外装筒体に固定し、ついで該傘針束の中空部に軸杆を挿入し、ついで該軸杆と該傘針とを固定することによりなされる、イカ釣り針製造方法。
【請求項３】
前記折合せた松葉針が折り曲げられて傘針が形成される前に、該折合せた松葉針には生針が予め形成されることを特徴とする、請求項２に記載のイカ釣り針製造方法。
【請求項４】
前記軸杆と傘針の固定は、該傘針束の内径すなわち前記中空部の径より該軸杆の径を太くして、該軸杆を該中空部内に打ち込み固定するものであることを特徴とする、請求項２または３に記載のイカ釣り針製造方法。
【発明の詳細な説明】
【技術分野】
【０００１】
本発明はイカ釣り針およびその製造方法に係り、特に、製造方法の簡便なイカ釣り針およびその製造方法に関する。
【背景技術】
【０００２】
従来、イカ釣り針の製造方法としては種々のものが提案されている。主に西日本において漁獲される大型のイカ用のイカ釣り針として、特許文献１に係るものがある。これは、軸杆に対する笠針の固定を、従前の半田付によらず接着剤を用いて行うこととし、それによって、腐食防止効果を得ようとするものである。
【０００３】
【特許文献１】特開平９−９４０４４号公報。「釣針並びに釣針の製造方法」。
【発明の開示】
【発明が解決しようとする課題】
【０００４】
しかし、特許文献１の釣針の製造方法は、
（ｉ）所定本数の折合せ松葉針を取付筒に圧接状態に挿入して軸杆挿入孔形成、（ii）折り合わせ松葉針に生針を突出形成、
（iii）針先を折り曲げて傘針を形成、
（iv）軸杆挿入口に軸杆を挿入、
（ｖ）軸杆と傘針を接着剤で固定
という手順を踏むものであって、必ずしも簡便・合理的な工程であるとはいえないものであった。また、針先を折り曲げて傘針に形成する際には、たとえば線径２ｍｍの松葉針５本を一度に折り曲げ加工するには大きな力を必要とする。そして、傘針製造機械はかなり大型なものとなってしまう。したがって、製造工程をどのような手順にするかは、製造方法の簡便化、効率化には重要である。
【０００５】
本発明が解決しようとする課題は、上記従来技術の問題点を除き、製造方法の簡便、効率的なイカ釣り針およびその製造方法を提供することである。
【課題を解決するための手段】
【０００６】
本願発明者は上記課題について検討した結果、本発明に至った。すなわち、上記課題を解決するための手段として本願で特許請求される発明、もしくは少なくとも開示される発明は、以下のとおりである。
【０００７】
（１）  折合せた松葉針の針先が折り曲げられて形成された傘針が複数本用いられて予め形成された、中空部を有する傘針束が、外装筒体にその内壁に対して弾力もしくは圧力を加える状態で挿入されて取付けられており、該傘針束の中空部に軸杆が挿入され、該軸杆と傘針とが固定されていることを特徴とする、イカ釣り針。
（２）  折合せた松葉針の針先を折り曲げて傘針を形成し、ついで所定本数の該傘針の束から傘針束を形成し、該傘針束を外装筒体に打ち込んで該傘針の有する弾性により該外装筒体に固定し、ついで該傘針束の中空部に軸杆を挿入し、ついで該軸杆と該傘針とを固定することによりなされる、イカ釣り針製造方法。
【０００８】
（３）  前記折合せた松葉針が折り曲げられて傘針が形成される前に、該折合せた松葉針には生針が予め形成されることを特徴とする、（２）に記載のイカ釣り針製造方法。
（４）  前記軸杆と傘針の固定は、該傘針束の内径すなわち前記中空部の径より該軸杆の径を太くして、該軸杆を該中空部内に打ち込み固定するものであることを特徴とする、請求項２または３に記載のイカ釣り針製造方法。
【発明の効果】
【０００９】
本発明のイカ釣り針およびその製造方法は上述のように構成されるため、これによれば、製造方法を簡便化、効率化することができる。また、松葉針１本をＵ字状に曲げ加工する際、線材は、加工に用いるオス型とメス型の間に均等に当たるため、金属の加工硬化を生じ、より大きな硬度を得ることもでき、変形しにくく耐久性に優れたイカ釣り針を得ることができる。
【発明を実施するための最良の形態】
【００１０】
以下、本発明を図面により詳細に説明する。
図１は、本発明のイカ釣り針の構成例を示す斜視図、また、
図２ないし７は、図１のイカ釣り針を製造する手順を順次示した説明図である。このうち、
図２は松葉針の形成過程を示す図、
図３は形成された傘針の構成を示す図、
図４は傘針束の構成を示す図、
図５は外装筒体と挿入前の傘針束を示す図、
図６は外装筒体に傘針束が挿入された状態を示す図、
図７は軸杆の構成を示す図である。
【００１１】
これらに図示するように本イカ釣り針１０は、折合せた松葉針１の針先２が折り曲げられて形成された傘針４が複数本用いられて予め形成された、中空部６を有する傘針束５が、外装筒体７にその内壁に対して弾力もしくは圧力を加える状態で挿入されて取付けられており、該傘針束５の中空部６に軸杆８が挿入され、該軸杆８と傘針４とが該傘針４の先端部において固定されていることを、主たる構成とする。
【００１２】
かかる構成により本発明イカ釣り針１０は、該傘針束５は該外装筒体７にその内壁に対して弾力もしくは圧力を加える状態で挿入されて取付けられているため、充分に固定されており、また該軸杆８と該傘針４とはその先端部において固定されているため、全体としてイカ釣り針の構造が充分に形成されている。
【００１３】
図２に示すように、前記松葉針１の先端は予め尖った構造に形成しておき、さらにその端部付近には生針３を形成しておくことができる。
【００１４】
図４に示すように、前記傘針束５の束ねには、たとえば金属製の環状体等を適宜用いることができる。
【００１５】
図２ないし７および図１に示すように、本発明のイカ釣り針製造方法は、折合せた松葉針１の針先２を折り曲げて傘針４を形成し〔（ａ）、（ｂ）、（ｃ）、（ｄ）〕、ついで所定本数の該傘針４の束から傘針束５を形成し〔（ｅ）〕、該傘針束５を外装筒体５に打ち込んで、あるいは押圧することにより挿入して、該傘針４の有する弾性により該外装筒体７に固定し〔（ｆ）、（ｇ）〕、ついで該傘針束５の中空部６に軸杆８を挿入し、ついで該軸杆８と該傘針４とを固定する〔（ｈ）、（ｉ）〕、各過程を経てなされ、イカ釣り針１０が製造される。
【００１６】
上記過程において、前記折合せた松葉針１が折り曲げられて傘針４が形成される前に、該折合せた松葉針１には生針３が予め形成されることとすることができる〔図２（ｃ）〕。
【００１７】
このように、本発明製造方法では、先に松葉針１は折り曲げられて傘針４に形成され、しかも該傘針４を予め束ねて傘針束５とし、それを外装筒体７に挿入するため、あるいはまた生針３も予め形成した後に該傘針４の形成がなされるため、前記従来技術のように取付筒に松葉針を挿入した後から、これを折り曲げたり、生針を突出形成したりすることの煩雑さ、作業の困難さが生じず、より簡便かつ効率的にイカ釣り針を製造することができる。
【００１８】
また、該傘針４は傘針束５に予め形成しておくため、該外装筒体７に挿入する際のまとまりがよく、打ち込み等の挿入作業が簡便かつ効率的である。
【００１９】
本発明製造方法において、前記軸杆８と傘針４（傘針束５）の固定は、該傘針束５の内径すなわち前記中空部６より該軸杆８の径を若干太くして、いわゆる「キツバメ」とし、該軸杆８を該中空部６内に打ち込み、該軸杆８が該中空部６から抜けないように固定するものとすることができる。かかる「キツバメ」の例を挙げれば、たとえば、傘針束の内径が７ｍｍであるのに対して、径７．１ｍｍの軸杆を打ち込む、等である。
【００２０】
本発明製造方法において、前記軸杆８と傘針４の固定は、接着剤または半田等、従来公知の適宜の手段を用いて行うことができる。
【産業上の利用可能性】
【００２１】
本発明のイカ釣り針およびその製造方法は上述のように構成されるため、これによれば、製造方法を簡便化、効率化することができる。したがって、漁具製造業、その他関連する分野において産業上利用価値が高い発明である。
【図面の簡単な説明】
【００２２】
【図１】本発明のイカ釣り針の構成例を示す斜視図である。
【図２】図１のイカ釣り針を製造する手順を順次示した説明図の一つであり、松葉針の形成過程を示す図である。
【図３】図１のイカ釣り針を製造する手順を順次示した説明図の一つであり、形成された傘針の構成を示す図である。
【図４】図１のイカ釣り針を製造する手順を順次示した説明図の一つであり、傘針束の構成を示す図である。
【図５】図１のイカ釣り針を製造する手順を順次示した説明図の一つであり、外装筒体と挿入前の傘針束を示す図である。
【図６】図１のイカ釣り針を製造する手順を順次示した説明図の一つであり、外装筒体に傘針束が挿入された状態を示す図である。
【図７】図１のイカ釣り針を製造する手順を順次示した説明図の一つであり、軸杆の構成を示す図である。
【符号の説明】
【００２３】
１…折合せた松葉針
２…針先
３…生針
４…傘針
５…傘針束
６…中空部
７…外装筒体
８…軸杆
１０…イカ釣り針
【図１】
2006180713.tif 000003
【図２】
2006180713.tif 000004
【図３】
2006180713.tif 000005
【図４】
2006180713.tif 000006
【図５】
2006180713.tif 000007
【図６】
2006180713.tif 000008
【図７】
2006180713.tif 000009